(57)【特許請求の範囲】
【請求項１】
下開口を上側にして被収容物及び乾燥剤が充填され、前記被収容物及び前記乾燥剤の充填後に上下逆にされ、上開口が上側にされるシリンダと；
該シリンダの上開口を開閉し、かつ、前記シリンダにヒンジ結合されている上蓋と；
該シリンダの下開口側に設けられ、前記被収容物充填後に前記シリンダ内に挿入され、前記シリンダ内を収容室と乾燥剤室とに仕切る通気性板と；
前記シリンダの上側に向けられている下開口から前記乾燥剤室に充填される乾燥剤と；該下開口を密封する下蓋と；
を備えていることを特徴とする吸湿防止容器。
【請求項２】
両端が開口しているシリンダの上開口に上蓋をした後、該シリンダの下開口を上側にする工程と；
前記上側のシリンダの下開口から被収容物を充填した後、該シリンダ内の係止部に通気性板を係止させて収容室と乾燥剤室とに仕切る工程と、
前記上側の下開口から前記乾燥剤室に乾燥剤を充填した後、前記下開口に下蓋をして密封する工程と、
前記シリンダの上下を逆にして上開口を上側にし、前記収容室を前記乾燥剤室の上側にする工程と；
を備えていることを特徴とする吸湿防止容器の充填方法。
【請求項３】
前記上蓋は、ヒンジを介してシリンダに連結されていることを特徴とする請求項２記載の吸湿防止容器の充填方法。
【発明の詳細な説明】
【０００１】
【発明の属する技術分野】
この発明は、乾燥剤を内蔵する吸湿防止容器及びその充填方法に関するものである。
【０００２】
体液、例えば、血液を分析して血糖値を測定するため、試験チップが用いられている。
この試験チップは、湿気に極めて敏感であり、高温多湿の環境下に放置すると、正確な測定値を得ることができなくなる。
そこで、従来、前記試験チップを容器に収容し、該容器の蓋の内側に乾燥剤室を設け、該乾燥剤室に乾燥剤を充填し、容器内の乾燥状態を維持している。
【０００３】
【発明が解決しようとする課題】
従来例では、容器に試験チップを充填し、キャッピングする作業において、予め蓋の乾燥剤室に乾燥剤を詰めた後、厚紙で該乾燥剤室を閉鎖する工程が、必要になる。
【０００４】
ところが、前記容器は、試験チップを充填後、直ちに蓋をして密封しないと、該試験チップが大気中の湿気を吸収する恐れがある。
そこで、この問題の発生を防止するため、蓋に乾燥剤を詰める工程を、試験チップの充填工程と同時併行し、前記試験チップの充填後、直ちに、乾燥剤が充填されている蓋をして密封できるようにすることが好ましい。
【０００５】
しかし、前記両工程を同時併行することは、作業全体が複雑になり、一連の連続工程で行うことができなくなる。そのため、作業能率が悪くなるので、コストアップの原因となる。
【０００６】
この発明は、上記事情に鑑み、簡単に、且つ、能率良く充填作業を行えるようにすることを目的とする。
【０００７】
この発明は、下開口を上側にして被収容物及び乾燥剤が充填され、前記被収容物及び前記乾燥剤の充填後に上下逆にされ、上開口が上側にされるシリンダと；該シリンダの上開口を開閉し、かつ、前記シリンダにヒンジ結合されている上蓋と；該シリンダの下開口側に設けられ、前記被収容物充填後に前記シリンダ内に挿入され、前記シリンダ内を収容室と乾燥剤室とに仕切る通気性板と；前記シリンダの上側に向けられている下開口から前記乾燥剤室に充填される乾燥剤と；該下開口を密封する下蓋と；を備えていることを特徴とする。
【０００８】
この発明は、両端が開口しているシリンダの上開口に上蓋をした後、該シリンダの下開口を上側にする工程と；前記上側のシリンダの下開口から被収容物を充填した後、該シリンダ内の係止部に通気性板を係止させて収容室と乾燥剤室とに仕切る工程と、前記上側の下開口から前記乾燥剤室に乾燥剤を充填した後、前記下開口に下蓋をして密封する工程と、前記シリンダの上下を逆にして上開口を上側にし、前記収容室を前記乾燥剤室の上側にする工程と；を備えていることを特徴とする。
【０００９】
【発明の実施の形態】
両端が開口しているシリンダの上開口に上蓋をし、該上開口を閉鎖した状態で該シリンダを上下逆回転させ、上蓋を下側にして下開口を上側にする。
該下開口から試験チップを挿入した後、下開口から該シリンダ内に通気性板を挿入して該シリンダ内を、試験チップを収納する収容室と、乾燥剤室と、に仕切る。
該乾燥剤室に乾燥剤を充填した後、該下開口に下蓋をして密封し、前記乾燥剤室を封止する。その後、シリンダを上下逆にして上蓋を上側にする。
【００１０】
【実施例】
本発明の第１実施例を図１、図２により説明する。
吸湿防止容器１のシリンダ２は、両端が開口しており、その上開口４は上蓋５により開閉される。この上蓋５は、外筒５ａと内筒５ｂとを備え、内筒５ｂはシリンダ２の内面２ａに圧接するシール部を備えている。
【００１１】
シリンダの内面２ａの下開口１５側には、係止部８が突設され、この係止部８はシリンダ２に挿入された通気性板１０を支持する。
この通気性板１０として、例えば、厚紙、が用いられ、この通気性板１０は、シリンダ２内を収容室１１と乾燥剤室１２とに仕切っている。
【００１２】
乾燥剤室１２には、乾燥剤、例えば、シリカゲル１３、が充填されている。
【００１３】
シリンダ２の下開口１５は、下蓋１６により封鎖されている。この下蓋１６は、断面Ｕ字状部１６ａと、該Ｕ字状部１６ａの側縁に連続する水平部１６ｂとからなり、乾燥剤室１２を密封している。
【００１４】
上記シリンダ２、上蓋５，下蓋１６は、透湿度の小さい合成樹脂、例えば、高密度ポリエチレン、により形成されている。
【００１５】
次に、本実施例の作用について説明する。
シリンダ２の上開口４に上蓋５を被せ、内筒５ｂを内面２ａに圧接して該上開口４を密封する。そして、図１に示すように、該シリンダ２を上下逆にして、上蓋５を下側にし、下開口１５を上側にし、該下開口１５から所定量の試験チップ（図示省略）をシリンダ２内に挿入する。
【００１６】
下開口１５からシリンダ２内に、通気性板１０を挿入し、係止部８に当接させる。これにより、シリンダ２内は、試験チップを収容する収容室１１と、乾燥剤１３を収容する乾燥剤室１２と、に仕切られる。
【００１７】
該乾燥室１２に乾燥剤１３を充填した後、下開口１５に下蓋１６を嵌着して、該水平部１６bをシリンダ２の下端面２ｃに当接させるとともに、両者２ｃ、１６ｂを超音波溶着する。この時、下蓋１６は、断面Ｕ字状部１６ａと、該Ｕ字状部１６ａの側縁に連続する水平部１６ｂと、から構成されているので、該下蓋１６のシリンダ２への嵌着及び超音波溶着が容易となり、密封性も向上する。この様にして、下開口１５は完全に密封されるので、外部から湿気が侵入することがない。
次に、このシリンダ２を上下逆にして、上蓋５を上側にする。
【００１８】
この状態において、前記収容室１１内に侵入した湿気は、通気性板１０を介して乾燥剤室１２に至り、乾燥剤１３に吸収される。そのため、収容室１１内は、適切な乾燥状態を維持することができる。
【００１９】
この発明の第２実施例を図３により説明するが、第１実施例と同一図面符号は、その名称も機能も同一である。この実施例と第１実施例との相違点は次の通りである。
(1)上蓋２５が、ヒンジ２０によりシリンダ２に連結されていること。
前記収容室１１内の試験チップは、必要に応じて何回も取り出されるので、上蓋４は多数回開閉されることになる。そのため、このヒンジ結合の上蓋が実用的には好適である。
尚、２５ｂは、内筒であり、シリンダ内面２ａに圧接するシール部を備えている。
【００２０】
(2) 係止部２８が、シリンダ２の内面２ａに設けた嵌状凹溝であり、この環状溝に通気性板１０の外周部が嵌着され固定されていること。
【００２１】
【発明の効果】
この発明は、以上のように構成したので、被収容物、例えば、試験チップを収容室に収容する工程と、乾燥剤を乾燥剤室に充填する工程は、一連の連続工程で実施することができる。そのため、従来例に比べて、簡単に、能率良く充填作業ができると共に、品質の安定した吸湿防止容器を得ることができる。
【図面の簡単な説明】
【図１】本発明の第１実施例を示す正面図で、その一部を断面にした図である。
【図２】充填作業終了後の状態を示す正面図で、その一部を断面にした図である。
【図３】本発明の第２実施例を示す正面図で、その一部を断面にした図である。
【符号の説明】
１    吸湿防止容器
２    シリンダ
４    上開口
５    上蓋
８    係止部
１０  通気性板
１１  収容室
１２  乾燥剤室
１３  乾燥剤
１５  下開口
１６  下蓋
【図１】
0004596668.tif 000002
【図２】
0004596668.tif 000003
【図３】
0004596668.tif 000004